(57)【要約】【課題】導電性がよい、薄い、隠蔽性がある、空間を占めない、ならびに気持ちよく穿ける等の特性があり、導電ゴム膜を体に接触させて通電すれば按摩の効果がある低周波健康補助器具を提供する。【解決手段】導電ゴム膜１、ゴム膜付着物及びコントローラ３を備え、その導電ゴム膜１は選定された個所に極性の異なる一組または一組以上の導電面が設けられ、薄いシート状を呈しているので、選定された異なるゴム膜付着物としてのブラジャー２Ａに組み合わせられ結合し、導電ゴム膜１はゴム膜付着物の内面に設置され、人体の生理個所またはつぼに貼り当てられて接触し、コントローラ３が始動されると低電流によって低周波の振動按摩作用、ならびに人体のつぼへの刺激が発生し、生理的健康補助の効果を提供する。【選択図】　図３
2004129899.tif 000002
【特許請求の範囲】
【請求項１】
導電ゴム膜、ゴム膜付着物及びコントローラを備える低周波健康補助器具であって、
導電ゴム膜は、薄いシート状であり、シート表面の選定された個所に極性の異なる一組または一組以上の導電面が設けられ、極性の異なる導電面の間が開路の状態を呈し、
ゴム膜付着物は、導電ゴム膜の設置に供され、体の所定個所に穿き付けられる、または取り付けられる軟質の付着物であり、
コントローラは、電流出力の開閉または強弱を制御し、各種選定機能をもった電流のコントローラであり、
導電ゴム膜を選定されたゴム膜付着物の内面の選定個所に敷き付けて設け、導電ゴム膜に設けられた極性の異なる導電面を体に貼り当て接触させ、コントローラで始動させると、低電流をもって低周波の振動按摩作用及び刺激作用を発生することを特徴とする低周波健康補助器具。
【請求項２】
導電ゴム膜の極性の異なる導電面に導電通路が設けられてそれぞれ極性接点部に接続され、極性の異なる接点部は個別に導電挿入接続脚に連接されることを特徴とする請求項１に記載の低周波健康補助器具。
【請求項３】
導電ゴム膜にはプラスチックＰＣ板が採用され、プリント回路に合わせて極性の異なる導電面及び導電通路が形成されることを特徴とする請求項１に記載の低周波健康補助器具。
【請求項４】
導電ゴム膜の極性の異なる導電面に導電通路が設けられてそれぞれ極性接点部に連接され、導電通路は導電ゴム膜の薄いシートの挟み層内に設けられ、導電面は外へ露出していることを特徴とする請求項１に記載の低周波健康補助器具。
【請求項５】
ゴム膜付着物は、ブラジャー、衣服、パンツ、帯または環として実施可能であることを特徴とする請求項１に記載の低周波健康補助器具。
【請求項６】
コントローラは、極性の異なる二本の導線を利用して導電ゴム膜の極性の異なる導電面にそれぞれ接続されることを特徴とする請求項１に記載の低周波健康補助器具。
【請求項７】
極性の異なる導電面にそれぞれ凸粒状の導電凸点が設けられていることを特徴とする請求項１から３のいずれか一項に記載の低周波健康補助器具。
【請求項８】
導電ゴム膜の外側面に一層のスポンジ、または類似した軟らかい物質が直接覆い被せられていることを特徴とする請求項１に記載の低周波健康補助器具。
【請求項９】
導電ゴム膜は、選定されたゴム膜付着物の選定された個所の内壁面に敷き付けられ、または付着して接合されていることを特徴とする請求項１に記載の低周波健康補助器具。
【請求項１０】
コントローラにクランプが設けられていることを特徴とする請求項１に記載の低周波健康補助器具。
【請求項１１】
コントローラには電流の強弱を制御するための無段調節スイッチが設けられていることを特徴とする請求項１に記載の低周波健康補助器具。
【発明の詳細な説明】
【０００１】
【発明の属する技術分野】
本発明は、低周波健康補助器具に関するものである。
【０００２】
【従来の技術】
従来より周知の低周波健康補助器具（またはマッサージ器、治療器とも呼ばれる）は概してコントローラ、シリコンゴム電極板またはシリコンゴム軟膏（俗称導電ペースト）、ならびに茶碗状のシリコンゴム電極カップ等の部材から構成され、その製造コストは高く、使用時機または場所は特定の制限を受け、かつ導電効果はよくない。特に、使用する個所にシリコンゴム軟膏を塗布しなければならず、濃いねばねばした軟膏が流れて極めて気持ちが悪く、かつ洗いにくい。この他、シリコンゴム電極板または茶碗状カップは硬くて厚く、取り付け時は硬いので重く感じ、気持ちよく取り付けることができず、かつ肌身に付けて隠して使用することができず、スペースを取るだけでなく、不便である。
【０００３】
例えば図２３及び図２４に示す周知のシリコンゴム電極カップ１０は、カップの内層に極性の異なる二つの導電シリコンゴム２０が設けられ、コントローラが導線を経て極性の異なる二つの導電シリコンゴム２０に接続される。使用時は、事前に導電ペースト３０（シリコンゴム軟膏）をシリコンゴム電極カップ１０の導電シリコンゴム２０の内壁に塗布し、導電ペースト３０を人体の生理個所またはつぼに付着させ（図２２参照）、更に低電流を人体４０に通し、振動按摩作用及び人体のつぼ４１を刺激する作用を発生させる。ところが、導電ペースト３０を塗布するとねばねばな液が人体４０に付いてしまうので、使用者は極めて不快になる。さらに、相当重いので、取り付け時は硬くて重く、気持ちよく感ずることができず、肌に傷害を与える恐れもある。
【０００４】
また、市場でよく見られる各種低周波健康補助器具の製品は使用材料の影響を受けるため、その機能に限度があり、人体の局部的特定範囲だけにしか使用できず、実際の使用でも極めて不便であるので、機能は明らかでなく、その各種低周波健康補助器具の製品を押し広めることは難しい。
【０００５】
【発明が解決しようとする課題】
本発明の主要な目的は、導電ゴム膜が人体の肌と極めて優れた接触を保持することができ、各種選定された異なるゴム膜付着物（例えば胸カップ、体のコルセット、肌着等）との敷設または付着結合に供され、かつ導電性がよい、極めて薄い、隠蔽性がある、空間を占めない、ならびに気持ちよく穿ける等の特性があり、特にティーシャツまたはシャツと合わせて穿くことができ、使用者の行動の自由が維持され、如何なる妨害もなく、使用時は導電ゴム膜を体に接触させて通電すれば按摩の効果があり、かつ人体の使用個所の血液循環を促進して熱が発生し、脈筋を伸ばすことに助益があり、健康を増進することができる低周波健康補助器具を提供することにある。
【０００６】
本発明の次の目的は、製造が簡単でコストが低く、導電性に優れ、体に密着させて使用することができ、空間を占めず、使用の時機または場所等制限を受けることがない低周波健康補助器具を提供することにある。
本発明のもう一つの目的は、人体の各個所またはつぼ、例えば首筋、肩、腰、手足、胸、または男性の生殖器、ならびに女性の陰部周囲での使用に非常に適し、人体の生理機能を刺激し、健康増進、減量、胸を大きくする、ならびに血液の流通を促進する等の効果があり、または快速に男性の勃起反応を促進し、女性の高潮や喜びを作り出し、セックスの楽しみを味わわせることができる低周波健康補助器具を提供することにある。
【０００７】
本発明の更に一つの目的は、導電ゴム膜が対応する肩、胸、背中または腰等に衣服の内面に貼り合わせて設けられ、使用者がその衣服を着用した場合は随時振動按摩する、ならびにつぼを刺激することができる低周波健康補助器具を提供することにある。
【０００８】
本発明の別の一つの目的は、導電ゴム膜が対応する人体の生理個所周囲のパンツ底部に貼り合わせて設けられ、使用者がそのパンツを着用した場合は随時操作使用すれば人体の生理機能を刺激することができる低周波健康補助器具を提供することにある。
本発明の更に別の一つの目的は、導電ゴム膜が帯または環の内面に貼り合わせて設けられ、使用者がその帯または環を体の特定個所に取り付ければ人体の生理機能を刺激することができる低周波健康補助器具を提供することにある。
【０００９】
【課題を解決するための手段】
上述の課題を解決するための本発明の低周波健康補助器具は、導電ゴム膜、ゴム膜付着物及びコントローラを備え、その導電ゴム膜は選定された個所に極性の異なる一組または一組以上の導電面が設けられ、薄いシート状を呈しているので、選定された異なるゴム膜付着物（例えば胸カップ、体のコルセット、肌着等）に応じて組み合わせられ結合し、導電ゴム膜はゴム膜付着物の内面に設置され、人体の生理個所またはつぼに貼り当てられて接触し、コントローラが始動されると低電流によって低周波の振動按摩作用、ならびに人体のつぼへの刺激が発生し、生理的健康補助の効果を提供する。
【００１０】
薄いシート状を呈する導電ゴム膜にプラスチック板を採用すると、プリント回路と合わせて極性の異なる導電面及び導電通路を形成することができる。
更に、ゴム膜付着物は弾性のあるネット状の衣服、弾性のあるネット状のパンツ、あるいは弾性伸縮性のある帯または環でもよい。
【００１１】
【発明の実施の形態】
以下、本発明の実施例を図面に基づいて説明する。
図１から図１６に示すように、本発明の各種実施例による低周波健康補助器具の主要部は導電ゴム膜１、ゴム膜付着物及びコントローラ３から構成されている。
図１及び図２に示すように、導電ゴム膜１は、軟質の薄いシート状の導電ゴム膜であって、プラスチックＰＣ板を採用し、プリント回路に合わせて極性の異なる導電面１１、１２及び導電通路１１１、１２１を形成してもよい。その導電ゴム膜１は体の個所によって異なる形状または形態に設けられてもよく、シート表面の選定された個所には極性の異なる一組または一組以上の導電面１１、１２が設けられ、前記各導電面１１、１２は導電通路１１１、１２１をもってそれぞれ極性接点部１３、１４へ接続され、各極性接点部１３、１４は個別に導電挿入接続脚１５、１６に連接される。また、前記導電通路１１１、１２１は導電ゴム膜１の薄いシートの挟み層内に設けられ、各導電面１１、１２だけが外に露出し、極性の異なる導電面１１、１２の間は開路の状態を呈する。
【００１２】
ゴム膜付着物は、導電ゴム膜１の設置に供され、体の特定個所に自然に穿き付けられまたは取り付けられて、貼り付けた状態を呈する軟性物質であり、選定された体の各種異なる個所に応じて形成され、かつ特定の形状、造型または構造に限定されず、具体的実施例は次のように選定される。
【００１３】
１．図３に示すように、前記ゴム膜付着物はブラジャー２Ａの構造にしてもよく、選定されたブラジャー２Ａに対応する胸カップ２１Ａの内面には胸形の導電ゴム膜１が設けられている。
２．図４に示すように、前記ゴム膜付着物は弾性伸縮効果のあるネット状の衣服２Ｂの構造に設けられてもよく、これによって選定された衣服２Ｂの肩内面に導電ゴム膜１を設ける。さらに、その衣服２Ｂは一枚式の構造に設けられてもよく、選定された体の後首、肩、胸、腰及び生理個所等に対応した衣服２Ｂの内面に導電ゴム膜１が設けられている（図５を参照）。
【００１４】
３．図６及び図７に示すように、前記ゴム膜付着物はネット状の弾性伸縮効果のある男性または女性専用のパンツ２Ｃに設けられてもよく、そのパンツ２Ｃの生理個所に対応する所に通し孔２１Ｃが設けられている。図８及び図９に示すように、選定された通し孔２１Ｃにはコイル状の導電ゴム膜１が設けられ、かつその導電ゴム膜１の導電面１１、１２には複数個の導電凸点１１２、１２２が設けられている。特に図１０に示すように、各凸点１１２または１２２は人体４０の生理個所の違いによって適当な凸粒状を呈することができ、図１１に示すように、凸粒状の各凸点１１２または１２２によって人体４０の生理個所の毛または体毛４２を押しのけて肌とより容易に接触するようにすることができる。これによって図１２に示すように、使用者はいつでもそのパンツ２Ｃをズボン１００の内部に穿くことができる。
【００１５】
４．図１３から図１６に示すように、前記ゴム膜付着物は随意に巻き付けられる帯２Ｄまたは環２Ｅに設けられてもよく、そのうち帯２Ｄは面テープ等のある互いに連結できるものでもよく、かつその内面一個所または複数個所を選定して上記導電ゴム膜１を設ける。環２Ｅは弾性のある伸縮可能な構造でもよく、またはその内面一個所あるいは複数個所を選定して上記導電ゴム膜１を設ける。それによって、使用者は帯２Ｄまたは環２Ｅを体の所定の個所に巻きつけ、束縛することができる。
【００１６】
図３及び図６に示すように、コントローラ３は、電流の出力の開閉または強弱の制御に供され、各種選定機能をもち、内部には電池が設けられ、かつ極性の異なる二本の導線３１、３２によってそれぞれ導電ゴム膜１の導電接続脚１５、１６に接続される。この他、図１７に示すように、前記コントローラ３には、必要によって使用時の取り付け固定に供されるクランプ３３が設けられてもよく、かつ制御スイッチ３４、３５が開閉操作に供され、電流強弱調整スイッチ３６がスライド式またはノブ式無段スイッチの形態に設けられてもよい（図１７に示すコントローラはスライド式無段スイッチである）。
【００１７】
上記部材により、導電ゴム膜１を選定された個所の各種のゴム膜付着物、すなわちブラジャー２Ａ、衣服２Ｂ、パンツ２Ｃ、帯２Ｄまたは環２Ｅ等の特定個所の内面に敷き付けまたは付着結合させる。導電ゴム膜１に設けられている極性の異なる導電面１１、１２はゴム膜付着物が穿かれた場合、丁度人体４０の生理個所、図２２に示すつぼ４１または筋肉に貼り付けられ、使用者がコントローラ３を始動すると、低電流によって低周波の振動按摩作用を発生し、人体４０、つぼ４１、筋肉または生理個所等を刺激し、生理的補助健康の効果を提供する。
【００１８】
上記導電ゴム膜１の構造特徴としては、薄くて軽いシート状を呈し、簡単に各種ゴム膜付着物としてのブラジャー２Ａ、衣服２Ｂ、パンツ２Ｃ、帯２Ｄまたは環２Ｅに付着結合することができ、人体４０の肌によく貼り当てられて接触し、硬くて重い感じを与えない。かつゴム膜付着物としてのブラジャー２Ａ、衣服２Ｂ、パンツ２Ｃ、帯２Ｄまたは環２Ｅを利用して導電ゴム膜１と人体とを自然に接触させているので、使用時は別に導電ペーストを塗布しなくてもよく、使用上は格別の負担がない。かつ便利で気持ちよく使うことができ、使用後は体を洗う必要がないので、使用の時機と場所は従来の低周波健康補助器具のように制限を受けなくてもよく、携帯が便利で使用の機動性は高い。
【００１９】
前記導電ゴム膜１はプリント回路を利用して大量製作することに極めて適し、シートの表面には極性の異なる一組または一組以上の導電面１１、１２、ならびに連接される導電通路１１１、１２１が印刷され、導電面１１、１２の面積、形状または分布形態は人体と接触する実際の需要によって決められる。例えば図１８から図２１に示すように、極性の異なる導電面１１、１２を円弧形、円形または長筋形にして互いに組み合わせ、導電通路１１１、１２１を極性接点に接続できるようにしているので、製作上は極めて便利であり、かつ価格も更に安くなる。もし人体の多くのつぼに対して同時に使用するのであれば、導電ゴム膜１の対応する貼り当て接触位置に極性の異なる複数組の導電面１１、１２を設置すれば、同時に各種異なる複数のつぼ４に対して低周波振動の刺激按摩を行うことができる。
【００２０】
上記に開示された実施例は本発明の一部の実施例だけであり、本発明の技術範囲を制限するものではなく、それ故にその他同等効果のある応用、または前記技術手段の簡単な変化あるいは入れ替えは本発明の技術特徴に含まれるべきである。例えば、前記導電ゴム膜１と各種選定されたゴム膜付着物との組み合わせ結合には特別な制限がなく、必要によって直接導電ゴム膜１の外側面にスポンジ、または類似した柔らかいものを敷設して覆い被せ、各種異なるゴム膜付着物との組み合わせに対応し、または各種ゴム膜付着物の内壁面に形成することはすべて行うことができる。
【００２１】
【発明の効果】
１．本発明の導電ゴム膜は軟質の薄いシート状を呈しているので、人体の肌と極めて優れた接触を保持することができ、各種選定された異なるゴム膜付着物（例えば胸カップ、体のコルセット、肌着等）との運用に適し、かつ導電性がよく、軽くて薄いので隠蔽性があり、空間を占めず、気持ちよく穿けられる等の効果があり、水洗し、または折り畳んで収納しても導電面または導電通路の導電性を損害することはない。
【００２２】
２．本発明の導電ゴム膜にはプラスチックＰＣ板を採用し、プリント回路に合わせて極性の異なる導電面及び導電通路を形成しているので、製造は非常に簡単でコストが低く、かつ導電ゴム膜は弾性があり、長持ちするだけでなく、洗浄して再使用することができる。さらに、極小面積の範囲内（例えば１センチ直径の丸い部分）に極性の異なる導電面及び導電通路を印刷して設けることができ、極めて優れた導電性を得ることができる。
【００２３】
３．本発明の低周波健康補助器具を使用するとその低周波健康補助器具は低周波をもって振動按摩作用を発生し、人体の生理機能を刺激することができ、約１５分から３０分の間に熱が発生して血液の流通を促進するので、人体の各種異なる個所の操作使用に適する。例えば首筋、肩、腰、手足、胸等個所、またはつぼ、または男性の生殖器、ならびに女性の陰部周囲はすべて低周波健康補助器具によって人体の生理機能を強化することができ、健康増進、減量、胸を大きくする、血液の流通の促進、ならびに夫婦間の性の楽しみを増進する等の機能が達成され、全方向の各種機能があり、使用される材料によって機能が制限されることなく、人体に使用される範囲は無制限と云える。
【００２４】
４．本発明の低周波健康補助器具が女性の胸に使用される場合、導電ゴム膜は軟質のシートで空間を占めないため、コントローラを隠蔽して乳房の谷間に設置し、またはコントローラを体の外部に設置して制御使用に供することができ、外観上は一般の状態を維持し、他人はそれを知ることができず、極めて優れた隠避の効果があり、かつ使用時は行動が自由で如何なる制限も受けない。
【００２５】
５．本発明の低周波健康補助器具が男性または女性専用のネット状のパンツに使用された場合、そのパンツには良好な弾性伸縮性があり、かつ生理個所に対応して通し孔が設けられているので、男女が性交してもはきものに拘束されず、低周波を始動して振動を発生させ、快速に男性の勃起反応を促進し、女性の高潮や喜びを作り出し、ともにセックスの楽しみを味わうことができる。
【００２６】
６．本発明の低周波健康補助器具が胸形の導電ゴム膜を有するように使用された場合、その材質が薄くて柔らかいので、いつでも胸カップに付着結合させることができ、または外層にスポンジを覆い被せて構成すると、使用時は気持ちよく付着する効果が得られる。同じく、導電ゴム膜が男女の肌着に使用された場合は緊密に付着して男女の異なる生理個所の周囲に接触し、かつ導電面に設けられた複数の凸点によって人体の特定のつぼと対応して接触し、導電機能を強化することができる。
７．コントローラには鰐の口の形のようなクランプを設けてもよく、携帯と使用が極めて便利になり、かつ無段式電流の強弱調節スイッチを設置すると、使用者は需要によって電流の強さを自由に調節することができる。
【図面の簡単な説明】
【図１】本発明の各種実施例による低周波健康補助器具の導電ゴム膜の構成を示す斜視図である。
【図２】本発明の各種実施例による低周波健康補助器具の導電ゴム膜を示す断面図である。
【図３】本発明の一実施例による胸カップ型の低周波健康補助器具を示す斜視図である。
【図４】本発明の別の実施例による衣服型の低周波健康補助器具を示す斜視図である。
【図５】本発明の別の実施例による一枚衣服型の低周波健康補助器具を示す斜視図である。
【図６】本発明の別の実施例による男性用パンツ型の低周波健康補助器具を示す斜視図である。
【図７】本発明の別の実施例による女性用パンツ型の低周波健康補助器具を示す斜視図である。
【図８】本発明の別の実施例によるパンツ型の低周波健康補助器具を示す模式図である。
【図９】本発明の別の実施例によるパンツ型の低周波健康補助器具を示す模式図である。
【図１０】本発明の別の実施例によるパンツ型の低周波健康補助器具の導電ゴム膜の導電面を示す模式図である。
【図１１】本発明の別の実施例によるパンツ型の低周波健康補助器具の導電ゴム膜の導電面に設けられた導電凸点が人体の体毛を押しのけて肌と優れた導電接触状態を形成している状態を示す模式図である。
【図１２】本発明の別の実施例によるパンツ型の低周波健康補助器具の着用状態を示す斜視図である。
【図１３】本発明の別の実施例による帯型の低周波健康補助器具の一使用状態を示す斜視図である。
【図１４】本発明の別の実施例による帯型の低周波健康補助器具の別の使用状態を示す斜視図である。
【図１５】本発明の別の実施例による環型の低周波健康補助器具の一使用状態を示す斜視図である。
【図１６】本発明の別の実施例による環型の低周波健康補助器具の別の使用状態を示す斜視図である。
【図１７】本発明の各種実施例による低周波健康補助器具の無段式スイッチ型のコントローラを示す斜視図である。
【図１８】本発明の各種実施例による低周波健康補助器具の導電ゴム膜の導電面の一組み合わせを示す模式図である。
【図１９】本発明の各種実施例による低周波健康補助器具の導電ゴム膜の導電面の別の組み合わせを示す模式図である。
【図２０】本発明の各種実施例による低周波健康補助器具の導電ゴム膜の導電面の別の組み合わせを示す模式図である。
【図２１】本発明の各種実施例による低周波健康補助器具の導電ゴム膜の導電面の別の組み合わせを示す模式図である。
【図２２】一般的な人体のつぼの個所を示す模式図である。
【図２３】従来の導電胸カップを示す斜視図である。
【図２４】従来の導電胸カップを示す断面図である。
【符号の説明】
１　導電ゴム膜
２Ａ　ブラジャー
２Ｂ　衣服
２Ｃ　パンツ
２Ｄ　帯
２Ｅ　環
３　コントローラ
１１、１２　導電面
１３、１４　極性接点部
１５、１６　導電挿入接続脚
２１Ａ　胸カップ
２１Ｃ　通し孔
３１、３２　導線
３３　クランプ
３４、３５　制御スイッチ
３６　電流強弱調節スイッチ
４０　人体
４１　つぼ
４２　体毛
１００　ズボン
１１１、１２１　導電通路
１１２、１２２　導電凸点
【図１】
2004129899.tif 000003
【図２】
2004129899.tif 000004
【図３】
2004129899.tif 000005
【図４】
2004129899.tif 000006
【図５】
2004129899.tif 000007
【図６】
2004129899.tif 000008
【図７】
2004129899.tif 000009
【図８】
2004129899.tif 000010
【図９】
2004129899.tif 000011
【図１０】
2004129899.tif 000012
【図１１】
2004129899.tif 000013
【図１２】
2004129899.tif 000014
【図１３】
2004129899.tif 000015
【図１４】
2004129899.tif 000016
【図１５】
2004129899.tif 000017
【図１６】
2004129899.tif 000018
【図１７】
2004129899.tif 000019
【図１８】
2004129899.tif 000020
【図１９】
2004129899.tif 000021
【図２０】
2004129899.tif 000022
【図２１】
2004129899.tif 000023
【図２２】
2004129899.tif 000024
【図２３】
2004129899.tif 000025
【図２４】
2004129899.tif 000026